(57)【要約】【課題】パネル部材の周縁部の保護を強化することが可能となる冷蔵庫の扉を提供する。【解決手段】略平板状に形成されたパネル部材と、前方に開口しパネル部材の周縁を囲む枠部を有したフレーム部材とを備え、パネル部材の前面が前方に向くようにした冷蔵庫の扉であって、枠部を、パネル部材の前面を含むように設定した仮想平面より、前方に突出させないようにした。【選択図】図２
2019152432.tif 000002
【特許請求の範囲】
【請求項１】
略平板状に形成されたパネル部材と、
前方に開口し前記パネル部材の周縁を囲む枠部を有したフレーム部材とを備え、
前記パネル部材の前面が前方に向くようにした冷蔵庫の扉であって、
前記枠部を、前記パネル部材の前面を含むように設定した仮想平面より、前方に突出させないようにしたことを特徴とする冷蔵庫の扉。
【請求項２】
前記パネル部材の端部の前面の角部がカットされており、
前記パネル部材の厚さは、前記端部以外では一定であり、前記端部では前記端部以外よりも薄くなっていることを特徴とする請求項１に記載の冷蔵庫の扉。
【請求項３】
前記枠部を前記カット部分より前方に突出させないようにしたことを特徴とする請求項２に記載の冷蔵庫の扉。
【請求項４】
前記パネル部材の形状は、
前方から見て、上下左右の各辺を有する略矩形であり、
前記枠部は、前記パネル部材の上下左右の各辺に対応する、上枠部、下枠部、左枠部、および右枠部からなることを特徴とする請求項１から３の何れか１項に記載の冷蔵庫の扉。
【発明の詳細な説明】
【技術分野】
【０００１】
本発明は、冷蔵庫の扉および当該扉を用いた冷蔵庫に関する。
【背景技術】
【０００２】
従来、冷蔵庫の扉として、外観部（前側）にガラス板を用いて意匠性を向上させたものが提案されている。このような扉は、例えば、裏面に印刷等の意匠を施したガラス板、扉の上下面や両側面を形成するとともにガラス板を嵌め込む枠部を有したフレーム部材、樹脂板の真空成型等により形成され冷蔵庫の庫内壁となるドアライナー、および、これらに囲まれた空間に充填され冷蔵庫の断熱壁となる発泡部材等により構成される。
【０００３】
またこの種の扉では、意匠的な要求から、フレーム部材がガラス板の前面外縁の全体または一部に掛からないようにして、ガラス板の前面を多く露出させた形態が採用されることがある。
【先行技術文献】
【特許文献】
【０００４】
【特許文献１】米国特許出願公開第２０１１／００８９７９０号明細書
【発明の概要】
【発明が解決しようとする課題】
【０００５】
上述したようなガラス板の前面を多く露出させた扉においては、ガラス板の周縁部（端面）の保護が問題となる。例えばガラス板の周縁部に誤って物をぶつけてしまうと、その部分からガラス板の割れが生じ、使用者が怪我をするといった不具合が懸念される。
【０００６】
このような不具合は、ガラス板の周縁部を囲む枠部によってある程度は防がれるが、枠部の前方への突出度合が小さい場合は、ガラス板の保護の観点から十分とは言えない。例えば、斜め前方からガラス板の周縁部に向かって物がぶつかることを想定すると、枠部の突出度合がガラス板の前面位置と同等かそれ以下の場合、ガラス板の周縁部を適切に保護することは難しい。なお上述した問題は、ガラス板以外のパネル部材（フレーム部材に支持される略平板状の部材）が採用される場合であっても該当し得る。
【０００７】
本発明は上述した問題に鑑み、フレーム部材がパネル部材の前面外縁の全体または一部に掛からないようにしつつ、パネル部材の周縁部の保護を強化することが可能となる冷蔵庫の扉の提供を目的とする。また本発明は、当該扉を備えた冷蔵庫の提供を目的とする。
【課題を解決するための手段】
【０００８】
本発明に係る扉は、略平板状に形成されたパネル部材と、前方に開口し前記パネル部材の周縁を囲む枠部を有したフレーム部材とを備え、前記パネル部材の前面が前方に向くようにした冷蔵庫の扉であって、前記枠部を、前記パネル部材の前面を含むように設定した仮想平面より、前方に突出させないようにしたことを特徴とする。
【発明の効果】
【０００９】
本発明に係る冷蔵庫の扉によれば、パネル部材の周縁部の保護を強化することが可能となるとともに、デザイン性が優れた扉を提供することができる。
【図面の簡単な説明】
【００１０】
【図１】本発明の第１実施形態に係る冷蔵庫の斜視図である。
【図２】本発明の第１実施形態に係る冷蔵庫の扉を閉じた状態の正面図である。
【図３】本発明の第１実施形態に係る冷蔵庫の扉を開いた状態の正面図である。
【図４】本発明の第１実施形態に係る下側の扉の構成図である。
【図５】図４に示す部分Ｂについての詳細図である。
【図６】図４に示す部分Ｂについての変形例の詳細図である。
【図７】図４に示す部分Ｃについての詳細図である。
【図８】本発明の第１実施形態に係る上側の扉の構成図である。
【図９】本発明の第１実施形態に係る位置決め工程の説明図である。
【図１０】本発明の第２実施形態に係る位置決め工程の説明図である。
【図１１】本発明の第２実施形態に係る位置決め工程の説明図である。
【発明を実施するための形態】
【００１１】
本発明の実施形態について第１実施形態と第２実施形態を例に挙げ、各図面を参照しながら以下に説明する。
１．第１実施形態
[冷蔵庫の全体構成]
まず第１実施形態について説明する。図１は本実施形態の冷蔵庫１を示す斜視図である。なお本願において、冷蔵庫１やその構成部材（後述するフレーム部材やパネル部材など）についての前後や上下左右の方向は、特に断りのない限り、図１に矢印で示す通りとする。また図２は、冷蔵庫１の扉を閉じた状態の正面図である。
【００１２】
冷蔵庫１は、断熱箱体２の前方の上下それぞれに、観音開き式の扉を備えている。すなわち断熱箱体２の前側には、左上側の扉３ａ、右上側の扉３ｂ、左下側の扉３ｃ、および右下側の扉３ｄが、それぞれ取り付けられている。このように冷蔵庫１は、上側の扉（３ａ、３ｂ）と下側の扉（３ｃ、３ｄ）が、上下方向へ並ぶ形態で前側に設けられている。なお扉３ａには、冷蔵庫１の状態等を表示する表示部４（例えば液晶表示パネル）が設けられている。
【００１３】
これらの扉（３ａ〜３ｄ）（以下、扉３と総称することがある）は、何れも断熱仕様の断熱扉として別々に製造され、断熱箱体２に取り付けられている。なお、扉３のより詳細な構成や製造方法については、改めて説明する。
【００１４】
上側の扉（３ａ、３ｂ）は後述する冷蔵室５（図３参照）の前面を開閉し、下側の扉（３ｃ、３ｄ）は後述する冷凍室６（図３参照）の前面を開閉する。また図３は、扉３を開いたとき（但し、下側の扉（３ｃ、３ｄ）の表示は省略している）の冷蔵庫１を示す正面図である。
【００１５】
断熱箱体２の上部には冷蔵室５が設けられ、断熱箱体２の下部には冷蔵室５に対して断熱壁７を介して冷凍室６が設けられている。冷蔵室５は貯蔵物が冷蔵保存され、冷凍室６は貯蔵物が冷凍保存される。以下、冷蔵室５及び冷凍室６について夫々説明する。
【００１６】
冷蔵室５の奥壁５ａには、その中央部において上下方向に延びる金属製の冷却パネル８が設けられている。この冷却パネル８は、奥壁５ａとともに冷気が流通する不図示の冷気通路（ダクト）を形成する。冷気は冷気通路の下方から上方に向かって流通し、冷気通路の上部に設けられる吐出口から側方に向かって冷蔵室５内に吐出される。吐出口から吐出された冷気は冷蔵庫の奥壁５ａに沿って流通し、左右の端部で向きを変えて冷蔵室５の側壁５ｂ，５ｃに沿って前方に流通する。
【００１７】
冷蔵室５の側壁５ｂ，５ｃに沿って流通する冷気は流速が低下し、冷蔵室の前部から中心部に到達して貯蔵物を冷却する。これにより、貯蔵物に直接当たる冷気を低減して貯蔵
物の乾燥を抑制することができる。また、冷蔵室５内において上部の温度よりも下部の温度を高くすることができ、貯蔵物の適正保存温度に応じて適切な位置に貯蔵物を保存することができる。
【００１８】
また冷却パネル８は、それ自体が冷気通路を流通する冷気によって冷却されることで、冷気通路の吐出口から吐出される冷気とともに冷蔵室５内に保存される貯蔵物を冷却する。従って、冷却効果が上昇して冷却のために必要な消費電力を抑制することができ、省エネルギーを図ることができる。
【００１９】
冷蔵室５の下部にはタンク室１３、野菜室１４、フルーツケース１５、チルド室（フレッシュケース）１６が設けられている。タンク室１３は製氷用の水タンクを収納する。野菜室１４は冷蔵室５の上部に対して隔離され、野菜が収納される。フルーツケース１５は冷蔵室５の上部に対して隔離され、フルーツが収納される。
【００２０】
野菜室１４及びフルーツケース１５は、冷蔵室５の上部から吐出して下方に流通した冷気によって冷却されるため、周囲よりも高温の野菜やフルーツの保存に適した温度に維持される。チルド室１６は、冷蔵室５の上部に対して隔離され、冷気通路の下部から冷気が吐出されるため周囲よりも低温に維持される。
【００２１】
野菜室１４内には収納ケース２１がスライド自在に配されている。また野菜室１４の上端部には、収納ケース２１の前壁と野菜室１４の上壁を形成する仕切板９との間を開閉する蓋部２２が枢支されている。収納ケース２１は上面を開口して設けられており、その後方は野菜室１４の上壁によって覆われている。
【００２２】
一方、収納ケース２１の上面開口の前方は、収納ケース２１が野菜室１４内に差し込まれている状態において蓋部２２によって覆われる。つまり蓋部２２は収納ケース２１の出入動作（スライド）に応じて回動し、収納ケース２１の前壁と野菜室１４の上壁との間を開閉するものである。
【００２３】
冷凍室６には自動製氷機を備える氷保管箱１０、３つの小冷凍ケース１１、２つの大冷凍ケース１２が設けられている。氷保管箱１０は、タンク室１３（水タンク）の水を用いて不図示の自動製氷機によって製氷された氷を貯える。小冷凍ケース１１及び大冷凍ケース１２には、任意の貯蔵物が冷凍保存される。
【００２４】
［扉の構成］
次に扉３の構成についてより詳細に説明する。まず下側の扉（３ｃ、３ｄ）について説明する。なお以下の説明では、左下側の扉３ｃの構成について説明するが、右下側の扉３ｄについても基本的には同様である。
【００２５】
図４は、前方視点による扉３ｃの構成図である。なお図４において破線で囲まれた部分は、図中に一点鎖線で示す断面をＡで示す視点から見た場合の、上端近傍の断面図である。本図に示すように扉３ｃは、パネル部材３１およびフレーム部材３２等を用いて形成されている。
【００２６】
パネル部材３１は、周縁が矩形である平板状に形成されており、前面が前方を向くように、フレーム部材３２に支持される格好で設けられる。すなわちパネル部材３１の形状は、前方から見て、上下左右の各辺を有する矩形となっている。またパネル部材３１は、透明なガラス板（ガラスパネル）の裏面に意匠を施した印刷を行い、更にその印刷の上に、飛散防止のフィルムを張り付けた構成となっている。
【００２７】
これによりパネル部材３１は、透明なガラス板の後側に意匠が施され、この意匠がガラス板を介して見える形態となっている。なおパネル部材３１はその他、例えば、ガラス板の裏面に所定のシート（前側に印刷された意匠が施されている）が張り付けられた構成であっても良い。また扉３ｃの前側は、パネル部材３１の前面（ガラス板）が露出した形態となっている。これにより扉３ｃは、デザイン性などが優れた仕様となっている。
【００２８】
フレーム部材３２は、ＡＢＳ樹脂等の成形により形成されており、嵌め込まれたパネル部材３１を支持する外枠としての役割を果たす。またフレーム部材３２は、前面部３２ａ、枠部３２ｂ、および側壁部３２ｃ等を有している。前面部３２ａは、前方視による外観部を形成する部分であり、前方から見て外縁が矩形の形状となっている。
【００２９】
枠部３２ｂは、前方に開口した枠を形成するように、前面部３２ａの前側から前方へ突出するように設けられた部分である。より具体的には、枠部３２ｂは、パネル部材３１の上下左右の各辺に対応する、上枠部３２ｂ１、下枠部３２ｂ２、左枠部３２ｂ３、および右枠部３２ｂ４からなっている。
【００３０】
上枠部３２ｂ１は、前面部３２ａの上側寄りの位置において左右に伸びており、下枠部３２ｂ２は、前面部３２ａの下側寄りにおいて左右に伸びている。また左枠部３２ｂ３は、前面部３２ａの左側寄りの位置において上下に伸びており、右枠部３２ｂ４は、前面部３２ａの右側寄りにおいて上下に伸びている。
【００３１】
枠部３２ｂは、パネル部材３１を前方から嵌め込むことが可能となるように、パネル部材３１の周縁のサイズに合わせて（開口の大きさがパネル部材３１の周縁と同等、或いは、やや大き目となるように）形成されている。パネル部材３１は枠部３２ｂに嵌め込まれて固定され、前面が前方に向くようにされている。枠部３２ｂの内周面は、パネル部材３１の周縁を囲む形態となっている。
【００３２】
なお前面部３２ａの枠部３２ｂに囲まれた部分において、中央寄りの部分は前後方向に貫通した開口部となっている。パネル部材３１の後面は、外縁の近傍が、枠部３２ｂに囲まれた前面部３２ａに対向し、それより内側の部分が、当該開口部を介して後側の空間に接する。
【００３３】
側壁部３２ｃは、前面部３２ａの上下左右の周囲近傍から後方へ突出した部分であり、扉３ｃの側壁を形成する。側壁部３２ｃは、パネル部材３１の後面に接する空間を、上下左右方向から囲む形態となっている。
【００３４】
また側壁部３２ｃの後側には、扉３ｃの後方視による外観部を形成するドアライナー（不図示）が設けられている。ドアライナーは、冷蔵庫１の庫内壁の一部を構成するとともに、パネル部材３１やフレーム部材３２とともに、パネル部材３１の後面に接する空間を閉空間とする。そして当該空間には、発砲ウレタン（不図示）が満たされている。発泡ウレタンは、断熱材の役割を果たす他、パネル部材３１とフレーム部材３２を接着する接着剤の役割を果たす。
【００３５】
また本実施形態では、フレーム部材３２がパネル部材３１の前面に掛からないようにして、パネル部材３１の前面全体を前方に露出させた形態が採用されている。これにより扉３ｃは、デザイン性などがより一層優れた仕様となっている。
【００３６】
図５は、図４に示す部分Ｂの詳細図である。本図に示すようにパネル部材３１は、その側部３１ａが枠部３２ｂの内側面に対向している。ここで枠部３２ｂの全体（全周）は、パネル部材３１の前面外縁に掛からないように形成された形態（鉤無し枠部、第２枠部）
となっている。すなわち、側部３１ａに接するとともに前後方向に拡がるように仮想平面Ｐ１を設定すると、枠部３２ｂの全体は、仮想平面Ｐ１より内側（図５では下方向）に突出する鉤のような部分を有しない形状となっている。そのためパネル部材３１の前面３１ｂは、外縁全体が前方（図５では右方）に露出した形態となっている。
【００３７】
また上枠部３２ｂ１は、パネル部材３１の前面３１ｂを含むように設定した仮想平面Ｐ２より、前方に突出させた形状となっている。より具体的には、上枠部３２ｂ１の前側先端（図５に白抜き矢印で示す部分）が、仮想平面Ｐ２より突出長さｈだけ前方に位置した形態となっている。
【００３８】
このように上枠部３２ｂ１を仮想平面Ｐ２より前方に突出させたことにより、扉３ｃは、パネル部材３１の周縁部の保護が強化されている。例えば冷蔵庫１の使用時や運搬時等において、斜め前方からパネル部材３１の周縁部に向かって、物がぶつかる事態が想定される。この場合、仮に上枠部３２ｂ１が仮想平面Ｐ２より前方に突出していないとすると、上枠部３２ｂ１の近くでパネル部材３１の周縁部に直接物が当たり、パネル部材３１は割れ易くなる。また枠部３２ｂの前方への突出が少ない場合、パネル部材３１はそれだけ衝撃に対して弱くなる傾向にある。
【００３９】
この点、本実施形態の場合は、斜め前方からパネル部材３１の周縁部に向かって物がぶつかるときでも、上枠部３２ｂ１がガードとなって、パネル部材３１の周縁部に物が直接当たることは極力回避されるため、パネル部材３１は比較的割れ難くなっている。また上枠部３２ｂ１が仮想平面Ｐ２より前方に突出していない場合に比べれば、パネル部材３１は衝撃に対して強くなっている。また、パネル部材３１の端面処理が仮に不十分であったとしても、上枠部３２ｂ１を仮想平面Ｐ２より前方に突出させたことにより、使用者の手が端面に触れることによる怪我は極力防がれる。
【００４０】
ここで、冷蔵庫１が上側の扉（３ａ、３ｂ）と下側の扉（３ｃ、３ｄ）を上下方向へ並べた仕様であることに鑑みると、下側の扉の下側（多くの場合、使用者の足元付近に位置する）や上側の扉の上側（多くの場合、使用者の頭上付近に位置する）などに比べて、下側の扉の上側および上側の扉の下側に、物がぶつかり易いと考えられる。
【００４１】
そこで下側の扉である扉３ｃ（扉３ｄも同様）については、デザイン性を重視して、下枠部３２ｂ２、左枠部３２ｂ３、および右枠部３２ｂ４を仮想平面Ｐ２より前方に突出させないようにする一方、パネル部材３１の保護を重視して、上枠部３２ｂ１を仮想平面Ｐ２より前方に突出させるようにしている。これにより扉３ｃは、安全性とデザイン性を出来るだけ両立させたものとなっている。但し枠部３２ｂの形態はこのようなものに限定されることはなく、例えば、枠部３２ｂの全体を、仮想平面Ｐ２より前方に突出させるようにしても構わない。
【００４２】
なお上枠部３２ｂ１の突出長さｈは、安全性やデザイン性等を考慮して、過不足の無い適切な値に設定されることが望ましい。例えば突出長さｈは、１ｍｍに設定される。
【００４３】
また上枠部３２ｂ１の前方先端は、図５に示すように、アール形状（丸み）が採用されている。そのため扉３ｃは、上枠部３２ｂ１の突出が強調されないようにし、デザイン性が高められるよう配慮されている。またアール形状が採用されていることにより、使用者の手が触れた場合にも怪我を生じないようになっている。
【００４４】
また変形例として、上枠部３２ｂ１の前方先端は図６に示すように、更に先細りの形状が採用されても良い。このようにすれば、上枠部３２ｂ１の突出がより強調されないようにし、デザイン性をより高めることが可能である。
【００４５】
また図７は、図４に示す部分Ｃの詳細図であり、上枠部３２ｂ１と左枠部３２ｂ３の交差部分近傍の一形態を表している。図７に示すように、上枠部３２ｂ１と左枠部３２ｂ３は連結しているが、双方の境界付近において前方への突出の長さが変化している。すなわち、上枠部３２ｂ１の部分（図中のハッチング部分）は仮想平面Ｐ２より前方へ突出しており、左枠部３２ｂ３の部分（ハッチングの無い部分）は仮想平面Ｐ２より前方へは突出していない。なお、枠部同士（３２ｂ１〜３２ｂ４）の交差部分近傍の形態としては、枠部同士が連結していない形態や突出の長さが滑らかに変化する形態など、様々な形態が採用され得る。
【００４６】
次に上側の扉（３ａ、３ｂ）の構成について説明する。なお以下の説明では、左上側の扉３ａの構成について説明するが、右上側の扉３ｂについても基本的には同様である。また既に説明した下側の扉（３ｃ、３ｄ）と異なる構成の説明に重点を置き、共通する構成については説明を省略することがある。
【００４７】
図８は、前方視点による扉３ａの構成図であり、フレーム部材３２等を透過させて表示したものである。扉３ａを構成するフレーム部材３２には、表示基板支持部３２ｄが設けられている。表示基板支持部３２ｄは、先述した表示部４を搭載した表示基板４１を、支持するための部分である。表示基板４１は、表示部４が前方を向くように、表示基板支持部３２ｄによって図８に示されている位置に支持される。扉３ａの前方に居る使用者は、表示部４の表示を見ることが可能である。
【００４８】
また上側の扉である扉３ａ（扉３ｂも同様）については、デザイン性を重視して、上枠部３２ｂ１、左枠部３２ｂ３、および右枠部３２ｂ４を、パネル部材３１の前面を含むように設定した仮想平面Ｐ２より前方に突出させないようにする一方、パネル部材３１の保護を重視して、下枠部３２ｂ２を仮想平面Ｐ２より前方に突出させるようにしている。
【００４９】
これにより扉３ａは、安全性とデザイン性を出来るだけ両立させたものとなっている。但し枠部３２ｂの形態はこのようなものに限定されることはなく、例えば、枠部３２ｂの全体を、仮想平面Ｐ２より前方に突出させるようにしても構わない。
【００５０】
［扉の製造方法］
次に扉３の製造方法について説明する。なお以下の説明では、便宜上、左上側の扉３ａの製造方法について説明するが、他の扉（３ｂ〜３ｄ）についても基本的には同様である。
【００５１】
扉３ａを製造する工程には、パネル部材３１をフレーム部材３２の枠部３２ｂに嵌め込んで位置決めする工程（位置決め工程）が含まれる。
【００５２】
位置決め工程では、パネル部材３１とフレーム部材３２が用いられ、パネル部材３１が枠部３２ｂに嵌め込まれる。なおこの際、フレーム部材３２の前面部３２ａとパネル部材３１の後面との間に両面テープを介在させておき、パネル部材３１とフレーム部材３２との間で、接着（１次接着）が行われるようにしておく。すなわち、枠部３２ｂに嵌め込まれたパネル部材３１の後面は、両面テープを用いてフレーム部材３２に貼り付け固定される。
【００５３】
１次接着により、パネル部材３１がある程度の接着力で固定され、枠部３２ｂの内側に適切に位置決めされる。また１次接着は、後述する発泡ウレタンを用いた接着（２次接着）の補助的な役割をも果たし、パネル部材３１の接着固定をより強固なものとする。
【００５４】
ここで本実施形態の位置決め工程の様子を図９に例示する。本図に示すように位置決め工程では、フレーム部材３２が所定の治具５０ａにセットされ、パネル部材３１が所定の治具５０ｂにセットされる。なお図９に示されているパネル部材３１およびフレーム部材３２の断面は、図８に二点鎖線で示す断面を視点Ｘから見たものに相当する。またフレーム部材３２の前面部３２ａには、枠部３２ｂより内側の全周に亘って、予め両面テープ３５が取り付けられている。
【００５５】
そして治具５０ａを治具５０ｂへ近づけることにより、パネル部材３１の後面がフレーム部材３２の前面部３２ａに密着するまで、フレーム部材３２を白抜き矢印で示す方向に移動させる。ここまでの位置決め工程により、パネル部材３１の位置決めが達成される。なお、位置決め工程がより容易に行われる実施形態については、第２実施形態として改めて説明する。
【００５６】
また扉３ａを製造する工程には、発泡ウレタンを利用して、位置決め工程により位置決めされたパネル部材３１をフレーム部材３２に接着固定する工程（接着工程）が含まれる。
【００５７】
接着工程では、パネル部材３１を位置決めしておいたフレーム部材３２の内側の空間（パネル部材３１、フレーム部材３２、およびドアライナーに囲まれた空間）を発泡ウレタンで満たすことにより、パネル部材３１はフレーム部材３２へ強固に接着（２次接着）される。上述した位置決め工程、接着工程、およびその他の諸工程を経て、扉３ａが完成する。
【００５８】
２．第２実施形態
次に第２実施形態について説明する。なお第２実施形態は、枠部３２ｂの一部を鉤有り枠部として、位置決め工程がより容易に行われるようにした点を除き、基本的には第１実施形態と同様である。以下の説明では、第１実施形態と異なる部分の説明に重点を置き、共通する部分については説明を省略することがある。
【００５９】
第２実施形態のフレーム部材３２においては、枠部３２ｂのうちの左枠部３２ｂ３が、パネル部材３１の前面外縁に掛かるように形成された形態（鉤有り枠部、第１枠部）となっており、その他の上枠部３２ｂ１、下枠部３２ｂ２、および右枠部３２ｂ４は、鉤無し枠部となっている。
【００６０】
第２実施形態に係る位置決め工程の様子を、図１０および図１１に示す。なおこれらの図に示されているパネル部材３１およびフレーム部材３２の断面は、図８に二点鎖線で示す断面を視点Ｘから見たものに相当する。またこれらの図の下側には、実線で囲まれた部分の拡大図が示されている。
【００６１】
位置決め工程では、パネル部材３１と、前面部３２ａの枠部３２ｂより内側の部分に予め両面テープ３５を取り付けておいたフレーム部材３２が準備される。なお前面部３２ａの枠部３２ｂより内側の部分のうち、鉤有り枠部が設けられている側（左辺側）においては、両面テープ３５の取り付けは省略されている。
【００６２】
そして図１０に示すように、先ず左枠部３２ｂ３（鉤有り枠部）にパネル部材３１の左辺（一辺）を抱え込ませ、この左辺を軸にしてパネル部材３１を少し回転させるようにして、パネル部材３１の右辺側を枠部３２ｂ内に嵌め込む。そしてその後、図１１に示すように、前面部３２ａのうちの左辺側とパネル部材３１との隙間を塞ぐように、紙テープ３（片面テープ）９が貼り付けられる。ここまでの位置決め工程により、パネル部材３１の位置決めが達成される。
【００６３】
第２実施形態の位置決め工程によれば、第１実施形態の位置決め工程に比べ、パネル部材３１の位置決めを容易に行うことが可能である。つまり第１実施形態の場合は、位置決め用の治具が、図９に例示する治具（５０ａ、５０ｂ）のように非常に大掛かりとなり、仮に治具を使わないとすれば、位置決めが非常に困難となる。この点、第２実施形態の場合は、鉤有り枠部にパネル部材３１の一辺を抱え込ませた後は、鉤有り枠部が当該一辺を支えるようにしながらパネル部材３１を少し回転させるだけで良いため、パネル部材３１を容易に位置決めすることが出来る。
【００６４】
また第２実施形態の場合は、鉤有り枠部を利用してパネル部材３１の位置決めを行うため、先述したように鉤有り枠部が設けられている側（左辺側）においては、両面テープ３５の取り付けが省略可能である。そのため両面テープの使用量を削減し、製造コストを抑えることが可能である。
【００６５】
なお第２実施形態では左枠部３２ｂ３を鉤有り枠部としているが、その代わりに上枠部３２ｂ１、下枠部３２ｂ２、もしくは右枠部３２ｂ４を鉤有り枠部としても良く、その場合も上記の位置決め工程に準じた手法により、パネル部材３１の位置決めが可能である。但し本実施形態のように縦長の（左右方向より上下方向に長い）パネル部材３１を用いる場合は、パネル部材３１の回転させ易さ等を考慮し、左枠部３２ｂ３（或いは右枠部３２ｂ４）を鉤有り枠部とすることが好ましい。
【００６６】
３．その他
以上に説明した通り、第１実施形態および第２実施形態の扉３は、平板状に形成されたパネル部材３１と、前方に開口しパネル部材３１の周縁を囲む枠部３２ｂを有したフレーム部材３２と、を備え、パネル部材３１を枠部３２ｂに嵌め込んで位置決めして固定し、パネル部材３１の前面が前方に向くようにした冷蔵庫１の扉である。更に扉３において、枠部３２ｂの全体または一部は、パネル部材３１の前面外縁に掛からないように形成された鉤無し枠部であり、鉤無し枠部の全体または一部は、パネル部材３１の前面を含むように設定した仮想平面Ｐ２より、前方に突出させたものとなっている。
【００６７】
そのため扉３は、フレーム部材３２がパネル部材３１の前面外縁の全体または一部に掛からないようにしつつ、パネル部材３１の周縁部の保護を強化することが可能となっている。なおより具体的には、パネル部材３１の形状は、前方から見て、上下左右の各辺を有する矩形であり、枠部３２ｂは、パネル部材３１の上下左右の各辺に対応する、上枠部３２ｂ１、下枠部３２ｂ２、左枠部３２ｂ３、および右枠部３２ｂ４からなっている。
【００６８】
＜付記＞
上記目的を達成するため本発明の別の態様に係る扉は、略平板状に形成されたパネル部材と、前方に開口し前記パネル部材の周縁を囲む枠部を有したフレーム部材と、を備え、前記パネル部材を前記枠部に嵌め込んで位置決めして固定し、該パネル部材の前面が前方に向くようにした冷蔵庫の扉であって、前記枠部の全体または一部は、前記パネル部材の前面外縁に掛からないように形成された鉤無し枠部であり、前記鉤無し枠部の全体または一部を、前記パネル部材の前面を含むように設定した仮想平面より、前方に突出させた構成とする。
【００６９】
本構成によれば、フレーム部材がパネル部材の前面外縁の全体または一部に掛からないようにしつつ、パネル部材の周縁部の保護を強化することが可能となる。
【００７０】
また上記構成としてより具体的には、前記パネル部材の形状は、前方から見て、上下左右の各辺を有する略矩形であり、前記枠部は、前記パネル部材の上下左右の各辺に対応す
る、上枠部、下枠部、左枠部、および右枠部からなる構成としてもよい。
【００７１】
また上記構成としてより具体的には、前記枠部の全体を前記鉤無し枠部とし、前記パネル部材の前面全体を前方に露出させた構成としてもよい。
【００７２】
また、上側の扉と下側の扉が上下方向へ並ぶ形態で前側に設けられる冷蔵庫に、該下側の扉として設けられる上記構成の扉において、前記上枠部を、前記仮想平面より前方に突出させ、前記下枠部、前記左枠部、および前記右枠部を、前記仮想平面より前方に突出させないようにした構成としてもよい。
【００７３】
また、上側の扉と下側の扉が上下方向へ並ぶ形態で前側に設けられる冷蔵庫に、該上側の扉として設けられる上記構成の扉において、前記下枠部を、前記仮想平面より前方に突出させ、前記上枠部、前記左枠部、および前記右枠部を、前記仮想平面より前方に突出させないようにした構成としてもよい。
【００７４】
また上記構成としてより具体的には、前記上枠部、下枠部、左枠部、および右枠部のうちの何れか一つは、前記パネル部材の前面外縁に掛かるように形成された鉤有り枠部であり、前記鉤有り枠部に前記パネル部材の一辺を抱え込ませ、該一辺を軸にして該パネル部材を回転させるようにして、前記位置決めがなされた構成としてもよい。
【００７５】
また上記構成としてより具体的には、前記パネル部材は、透明なガラス板の後側に意匠が施され、該意匠が該ガラス板を介して見える形態となっている構成としてもよい。また本発明の別の態様に係る冷蔵庫は、上記構成の扉を備えた構成とする。
【００７６】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００７７】
本発明は、各種形態の冷蔵庫等に利用することができる。
【００７８】
〔付記事項〕
本発明の一態様に係る発明は、略矩形形状のパネル部材と、前方に開口し前記パネル部材の周縁を囲む枠部を有したフレーム部材と、を備え、前記パネル部材を前記枠部に固定し、該パネル部材の前面が前方に向くようにした冷蔵庫の扉であって、前記フレーム部材は、前記パネル部材の後面の外縁部に対向する前面部と、該前面部の前側から前方へ突出するように設けられた枠部とを含み、前記枠部として、前記パネル部材の相対する２辺の一方に配され前記パネル部材の前面外縁に掛かる第１枠部と、前記２辺の他方に配され前記パネル部材の前面外縁に掛からない第２枠部とを有し、前記第１枠部側において前記前面部と前記パネル部材との隙間を塞ぐように片面テープが貼り付けられ、前記第２枠部側において前記前面部と前記パネル部材との間が両面テープにより接着されていることを特徴とする。
【００７９】
本発明に係る冷蔵庫の扉によれば、フレーム部材がパネル部材の前面外縁の全体または一部に掛からないようにしつつ、パネル部材の周縁部の保護を強化することが可能となる。また本発明に係る冷蔵庫によれば、本発明に係る扉の利点を享受し得る。
【符号の説明】
【００８０】
１    冷蔵庫
２    断熱箱体
３、３ａ〜３ｄ    扉
４    表示部
４１  表示基板
５    冷蔵室
６    冷凍室
７    断熱壁
８    冷却パネル
９    仕切板
１０    氷保管箱
１１    小冷凍ケース
１２    大冷凍ケース
１３    タンク室
１４    野菜室
１５    フルーツケース
１６    チルド室
２１    ケース
２２    蓋部
３１    パネル部材
３１ａ  パネル部材の側部
３１ｂ  パネル部材の前面
３２    フレーム部材
３２ａ  前面部
３２ｂ  枠部
３２ｂ１    上枠部
３２ｂ２    下枠部
３２ｂ３    左枠部（第１枠部）
３２ｂ４    右枠部（第２枠部）
３２ｃ  側壁部
３２ｄ  表示基板支持部
３５    両面テープ
３９    紙テープ（片面テープ）
５０ａ、５０ｂ  治具
Ｐ１、Ｐ２    仮想平面
【図１】
2019152432.tif 000003
【図２】
2019152432.tif 000004
【図３】
2019152432.tif 000005
【図４】
2019152432.tif 000006
【図５】
2019152432.tif 000007
【図６】
2019152432.tif 000008
【図７】
2019152432.tif 000009
【図８】
2019152432.tif 000010
【図９】
2019152432.tif 000011
【図１０】
2019152432.tif 000012
【図１１】
2019152432.tif 000013